(57)【特許請求の範囲】
【請求項１】
ロールスクリーンの中間部を支持するブラケットであって、
巻取パイプに巻き取られたシートに当接し、かつ、前記シートに対して相対回転可能な回転体を有し、
前記回転体は、前記シートの巻き取り、巻き戻しに追随して、前記巻取パイプに巻き取られた前記シートの周方向に沿って移動可能である、
ことを特徴とするブラケット。
【請求項２】
前記回転体は、前記シートに下側から当接し、前記巻取パイプから巻き戻されたシートに最も接近したときに、巻き戻された前記シートに接触せず、巻き戻された前記シートから最も離れたときに、前記巻取パイプの中心軸垂下位置を前記回転体の回転軸が超えない範囲において、前記巻取パイプに巻き取られた前記シートの周方向に移動可能である、
ことを特徴とする請求項１に記載のブラケット。
【請求項３】
前記回転体は、前記シートに向かって付勢手段で付勢されている、
ことを特徴とする請求項１又は請求項２に記載のブラケット。
【請求項４】
支持構造物に固定された基部と、
前記基部から前記巻取パイプに巻き取られた前記シートの下方に延出したアーム部と、
前記アーム部を前記シートに向かって付勢する付勢手段と、を備え、
前記アーム部は、前記回転体の回転軸を前記シートの周方向に沿って移動可能に保持する保持部を有する、
ことを特徴とする請求項１又は請求項２に記載のブラケット。
【請求項５】
前記アーム部は、前記基部に対して回動自在に取り付けられており、
前記付勢手段は、前記シートに向かって回動するように前記アーム部を付勢している、
ことを特徴とする請求項４に記載のブラケット。
【請求項６】
前記アーム部は、前記基部に対して上下方向にスライド自在に取り付けられており、
前記付勢手段は、前記シートに向かって上昇するように前記アーム部を付勢している、
ことを特徴とする請求項４に記載のブラケット。
【請求項７】
前記アーム部は、前記巻取パイプに巻き取られた前記シートに対して下側から当接し、かつ、前記シートに対して相対回転可能な下側補助ローラを、前記回転体よりも前記基部側に有している、
ことを特徴とする請求項５又は請求項６に記載のブラケット。
【請求項８】
前記回転体は、巻き取られたシートの周方向に互いに離間して配置された一対のローラ部材と、前記一対のローラ部材に巻き掛けられた無端ベルトと、前記一対のローラ部材の回転軸同士の距離を一定に保つ間隔保持部材と、を備えてなり、
前記保持部は、前記一対のローラ部材の回転軸を、巻き取られたシートの周方向に移動可能に保持している
ことを特徴とする請求項４から請求項６のいずれか１項に記載のブラケット。
【請求項９】
前記基部は、前記巻取パイプに巻き取られた前記シートに対して相対回転可能な上側補助ローラを、前記巻取パイプの回転軸よりも上側かつ巻き戻された前記シートの反対側に有している、
ことを特徴とする請求項４から請求項８のいずれか１項に記載のブラケット。
【請求項１０】
巻き戻された前記シートを挟んで、前記アーム部と反対側に、前記巻取パイプに巻き取られた前記シートの脱落防止部材をさらに備え、
前記アーム部の先端と前記脱落防止部材の先端との間隔が前記巻取パイプの直径よりも小さい、
ことを特徴とする請求項４から請求項８のいずれか１項に記載のブラケット。
【発明の詳細な説明】
【技術分野】
【０００１】
本発明は、ロールスクリーンの中間部を支持するブラケットに関する。
【背景技術】
【０００２】
製品サイズ（幅・高さ）が大きい、又は生地重量が重いロールスクリーンのシートの巻取り、巻戻しを行うと巻取パイプの中間部が撓むことがある。巻取りパイプの中間部が撓むと、シートを垂下した時にシートにＶ字状の皺が発生し、ロールスクリーンの意匠性を下げてしまう。これに対して、巻取りパイプの中間部を支持する部材によって巻取りパイプの撓みを抑制する構造が、特許文献１及び特許文献２に開示されている。特許文献１には、シートシャッター下部に圧接されるローラと巻取シャフトとの間に巻径補正体を周設する構造が開示されている。特許文献２には、上部アーム及び下部アームと、上部アーム及び下部アームをローラパイプに向かって付勢する付勢手段と、上部アーム及び下部アームに設けられたローラとを有する構造が開示されている。
【先行技術文献】
【特許文献】
【０００３】
【特許文献１】特開平１１−６２４３７号公報
【特許文献２】実公昭５８−２３９１９号公報
【発明の概要】
【発明が解決しようとする課題】
【０００４】
しかしながら、特許文献１及び特許文献２に記載の構成では、巻取パイプの中間部に設けた支持部材（特許文献１では巻径補正体、特許文献２ではローラ）を境界として、その左右にそれぞれＶ字状の皺が、垂下したシートに発生することがある。
【０００５】
このような観点から、本発明は、巻取パイプの中間部に設けたブラケットに起因するロールスクリーンのシートの皺の発生を抑制することを課題とする。
【課題を解決するための手段】
【０００６】
このような課題を解決するため、本発明は、ロールスクリーンの中間部を支持するブラケットであって、巻取パイプに巻き取られたシートに当接し、かつ、前記シートに対して相対回転可能な回転体を有し、前記回転体は、前記シートに対して周方向に移動可能である、ことを特徴とする。
【０００７】
発明者らは、鋭意研究の結果、回転体をシートに対して周方向に移動可能とすることによって、ブラケットによるシートのＶ字状の皺の発生を抑制できることを発見した。
これは、本発明によれば、相対回転可能な回転体がシートの巻取り、巻戻し方向に追随してシートに対して周方向に移動するので、巻取り操作開始時及び巻戻し操作開始時の、回転体による支持部分でのシートの緊張を、回転体の移動により緩和している、と想定されるからである。
【０００８】
また、前記回転体は、前記シートに下側から当接し、前記巻取パイプから巻き戻されたシートに最も接近したときに、巻き戻された前記シートに接触せず、巻き戻された前記シートから最も離れたときに、前記巻取パイプの中心軸垂下位置を前記回転体の回転軸が超えない範囲において、前記巻取パイプに巻き取られた前記シートの周方向に移動可能としてもよい。
【０００９】
このような構成によれば、回転体が、巻取パイプから巻き出ているシートに最も接近したときに、巻き出ている前記シートに接触しないので、シート巻取り時に、回転体の接触によるシートの皺の発生を防ぐことができる。また、巻き戻されたシートから最も離れたときに、巻取パイプの中心軸垂下位置を回転体の回転軸が超えないので、回転体が円滑に移動し、シートの皺の発生を抑制できる。
【００１０】
また、前記回転体は、前記シートに向かって付勢手段で付勢されている構成としてもよい。
【００１１】
このような構成によれば、回転体がシートに向かって付勢されているので、巻取パイプに巻き取られたシートの巻き厚の変化に応じて、回転体が移動する。従って、回転体は、シートの巻き厚の変化に追従してシートに当接し続けるので、ブラケットによるシートの皺の発生を抑制できる。
【００１２】
また、支持構造物に固定された基部と、前記基部から前記巻取パイプに巻き取られた前記シートの下方に延出したアーム部と、前記アーム部を前記シートに向かって付勢する付勢手段と、を備え、前記アーム部は、前記回転体の回転軸を前記シートの周方向に沿って移動可能に保持する保持部を有する構成としてもよい。
【００１３】
このような構成によれば、アーム部がシートに向かって付勢されているので、巻取パイプに巻き取られたシートの巻き厚の変化に追従してアーム部に保持された回転体がシートに当接する。従って、ブラケットによるシートの皺の発生を抑制できる。加えて、アーム部は、回転体の回転軸を移動可能に保持する保持部を有し、保持部は、シートの周方向に沿った円弧状に形成されているので、相対回転可能な回転体がシートの巻取り、巻戻し方向に追随してシートに対して周方向に移動する。その結果、ブラケットによるシートの皺の発生を抑制できる。
【００１４】
また、前記アーム部は、前記基部に対して回動自在に取り付けられており、前記付勢手段は、前記シートに向かって回動するように前記アーム部を付勢している構成としてもよい。
【００１５】
このような構成によれば、付勢手段によりアーム部を回動させることによって、シートの巻き厚の変化に回転体を追従させることができる。このため、ブラケットによるシートの皺の発生を抑制できる。
【００１６】
また、前記アーム部は、前記基部に対して上下方向にスライド自在に取り付けられており、前記付勢手段は、前記シートに向かって上昇するように前記アーム部を付勢している構成としてもよい。
【００１７】
このような構成によれば、付勢手段によってアーム部を上下方向にスライドさせることによって、シートの巻き厚の変化に回転体を追従させることができる。このため、ブラケットによるシートの皺の発生を抑制できる。
【００１８】
また、前記アーム部は、前記巻取パイプに巻き取られた前記シートに対して下側から当接し、かつ、前記シートに対して相対回転可能な下側補助ローラを、前記回転体よりも前記基部側に有している構成としてもよい。
【００１９】
このような構成によれば、シートに対して相対回転可能な回転体と下側補助ローラとを有するので、巻取パイプに巻き取られたシートが回転体と下側補助ローラとの２点で当接され、巻取パイプが安定して回転することができる。巻取パイプが安定して回転するので、巻きずれが起こるのを予防でき、シートに皺が発生するのを抑制できる。
【００２０】
また、前記回転体は、巻き取られたシートの周方向に互いに離間して配置された一対のローラ部材と、前記一対のローラ部材に巻き掛けられた無端ベルトと、前記一対のローラ部材の回転軸同士の距離を一定に保つ間隔保持部材と、を備えてなり、前記保持部は、前記一対のローラ部材の回転軸を、巻き取られたシートの周方向に移動可能に保持している構成としてもよい。
【００２１】
このような構成によれば、無端ベルトが一対のローラ部材に巻き掛けられているので、無端ベルトが、巻取パイプに巻き取られたシートに点ではなく面で当接する。つまり、無端ベルトがシートに当接する範囲が大きくなるので、巻取り操作開始時及び巻戻し操作開始時の、一対のローラ部材による支持部分におけるシートの緊張を、緩和しやすくなる。従って、ブラケットによるシートの皺の発生を抑制する効果が大きくなる。
【００２２】
また、前記基部は、前記巻取パイプに巻き取られた前記シートに対して相対回転可能な上側補助ローラを、前記巻取パイプの回転軸よりも上側かつ巻き出された前記シートの反対側に有している構成としてもよい。
【００２３】
このような構成によれば、シートに対して相対回転可能な支持ローラと下側補助ローラと上側補助ローラとを有するので、巻取パイプが撓んだ時に、ブラケットの基部の代わりに上側補助ローラとシートが当接するので、シートと基部との摩擦が軽減できる。
【００２４】
また、巻き戻された前記シートを挟んで、前記アーム部と反対側に、前記巻取パイプに巻き取られた前記シートの脱落防止部材をさらに備える場合、前記アーム部の先端と前記脱落防止部材の先端との間隔が前記巻取パイプの直径よりも小さい構成としてもよい。
【００２５】
このような構成によれば、アーム部の先端と脱落防止部材の先端との間隔が巻取パイプの直径よりも小さいので、急激な巻取り操作又は巻戻し操作を行った際に、巻取パイプがアーム部の先端から脱落するのを防ぐことができる。
【発明の効果】
【００２６】
本発明のブラケットによれば、巻取パイプの中間部に設けたブラケットに起因するシートの皺の発生を抑制することができる。
【図面の簡単な説明】
【００２７】
【図１】本発明の第一実施形態に係るブラケットを使用したロールスクリーンを示す図であって、（ａ）は正面図、（ｂ）はＡ−Ａ矢視断面図である。
【図２】本発明の第一実施形態に係るブラケットを使用したロールスクリーンのＡ−Ａ矢視における要部拡大断面図であって、（ａ）はシートの下降操作時、（ｂ）はシートの上昇操作時を示す。
【図３】本発明の第一実施形態に係るブラケットのアーム部の先端部を示す斜視図である。
【図４】本発明の第二実施形態に係るブラケットを使用したロールスクリーンを示す図であって、（ａ）はシートの下降操作時の側面断面図、（ｂ）はシートの上昇操作時の側面断面図である。
【図５】本発明の第三実施形態に係るブラケットを使用したロールスクリーンを示す側面断面図であって、（ａ）はシートの下降操作時、（ｂ）はシートの上昇操作時を示す図である。
【図６】本発明に係るブラケットの変形例における支持ローラ及び第二補助ローラを示す図であって、（ａ）は側面断面図、（ｂ）は分解斜視図である。
【図７】本発明に係るブラケットの変形例における支持ローラ及び可動式付勢機構３０を示す図であって、（ａ）は側面断面図、（ｂ）は斜視図である。
【発明を実施するための形態】
【００２８】
以下、本発明の実施形態について、図面を参照して詳細に説明する。同一の構成要素には同一の符号を付し、重複する説明を省略する。本実施形態では、本発明のブラケットＢ１をチェーン式ロールスクリーンに適用した場合を例として説明する。なお、説明における上下左右前後は、図１の矢印に従う。
【００２９】
（第一実施形態）
ロールスクリーンＲ１は、図１の（ａ）及び（ｂ）に示すように、天井等の取付面（支持構造物）に固定された第一ブラケット１に右端部を回転可能に支持され、取付面に固定された第二ブラケット２に左端部を回転可能に支持されている。また、ロールスクリーンＲ１の中間部は、取付面に固定されたブラケットＢ１に回転可能に支持されている。
第一ブラケット１は、取付面に固定される第一基部１ａと、第一基部１ａから下方に延出する第一側端部１ｂとを備える。第一側端部１ｂは、巻取パイプ３の右端部を回転可能に支持している。
第二ブラケット２は、取付面に固定される第二基部２ａと、第二基部２ａから下方に延出する第二側端部２ｂとを備える。第二側端部２ｂは、巻取パイプ３の左端部を回転可能に支持している。
【００３０】
ロールスクリーンＲ１は、巻取パイプ３と、巻取パイプ３に巻き取られたシート４と、シート４の先端に取り付けられたウエイトバー５とを備えている。
巻取パイプ３は、シート４を巻取り及び巻戻しするための回転軸となる部材である。巻取パイプ３は、筒状であり、その右端部は、第一ブラケット１に回転可能に支持されており、左端部は、第二ブラケット２に回転可能に支持されている。
なお、巻取パイプ３の内部には、巻取り回転方向に付勢する付勢機構９（ねじりコイルばね等）が設けられている。
シート４は、屋外からの日射を遮蔽するための長方形状の部材である。なお、形状は長方形状に限定するものではない。
ウエイトバー５は、シート４の巻き癖を抑制しつつ垂下させるための部材である。ウエイトバー５の右端部及び左端部には、端部の開口を塞ぐために、ボトムキャップ５ａが取り付けられている。
【００３１】
また、ロールスクリーンＲ１は、第一ブラケット１と巻取パイプ３との間に、図示しないプーリーを備え、プーリーをプーリーカバー６が覆っている。無端状のチェーン７がプーリーに掛装され、垂下している。後側のチェーン７を下方向に操作すると、シート４が巻取パイプ３から巻き戻され、前側のチェーン７を下方向に操作すると、シート４が巻取パイプ３に巻き取られる。また、巻き戻されたシート４を挟んで、ブラケットＢ１と反対側に、巻取パイプ３の脱落防止部材８を備えている（図２参照）。
【００３２】
図２の（ａ）及び（ｂ）に示すように、ブラケットＢ１は、巻取パイプ３の軸方向視でほぼＪ字状に形成されている。ブラケットＢ１は、巻取パイプ３の中間部を回転可能に支持するための部材である。ブラケットＢ１は、第一ブラケット１及び第二ブラケット２の中間部に位置している。ブラケットＢ１は、取付面に固定された基部１１と、基部１１から延出したアーム部１２と、アーム部１２をシートに向かって付勢するトーションばね１３（付勢手段）と、巻取パイプ３に巻き取られたシート４に当接する回転体としての支持ローラ１４とを備えている。また、ブラケットＢ１は、第一補助ローラ１５（下側補助ローラ）と、第二補助ローラ１６（上側補助ローラ）と、保持部１７とを備えている。
【００３３】
基部１１は、側面視で略Ｔ字状に形成されている。基部１１は、取付面に取り付けられる取付部１１ａと、取付部１１ａから下方に突出する突出部１１ｂと、突出部１１ｂの先端に設けられた連結部１１ｃとを主に備えている。取付部１１ａは、突出部１１ｂの上端部から屋内側及び屋外側に延出する板状の部位であり、例えば取付面にビス等で固定されている。連結部１１ｃは、アーム部１２を回動可能に連結する部位であり、ピン３２を挿通するためのピン孔を有する。ピン孔は、巻取パイプ３の回転中心Ｏとほぼ同じ高さに設けられている。回転中心Ｏよりも上部で、基部１１の巻取パイプ３側の先端部（下端部）付近には、第二補助ローラ取付部１１ｄが凹設されている。第二補助ローラ１６は、円筒状の部材であり、第二補助ローラ取付部１１ｄに回転可能に取り付けられている。第二補助ローラ１６によって、シート４と基部１１との摩擦が軽減される。
【００３４】
アーム部１２は、側面視で略円弧状に形成されており、基部１１に近づくほど太くなっている。アーム部１２は、基部１１側の端部にピン孔を有している。アーム部１２は、ピン孔に挿通されたピン３２によって、基部１１の連結部１１ｃに回動可能に取り付けられている。ピン３２には、トーションばね１３が巻き付けられている。アーム部１２は、このトーションばね１３によって、巻取パイプ３に巻き取られたシート４に向かって付勢されている。図３に示すように、アーム部１２の先端部１２ｂは、左右方向に２つに分離している。左右の２つの先端部１２ｂ，１２ｂの間に支持ローラ１４及び第一補助ローラ１５が配置されている。支持ローラ１４及び第一補助ローラ１５の間には、左右の２つの先端部１２ｂ，１２ｂを結ぶ結合部１２ｄが配置されている（図３参照）。また、アーム部１２の先端部１２ｂ，１２ｂには、保持部１７，１７が設けられている。
【００３５】
保持部１７は、アーム部に形成された溝（長孔）である。保持部１７は、支持ローラ１４の回転軸１８を移動可能に保持している。保持部１７は、シート４の周方向に沿った円弧状に形成されている。
【００３６】
支持ローラ１４は、巻取パイプ３に巻き取られたシート４に対して、回転軸１８を中心に相対回転可能な円筒状の部材である。支持ローラ１４は、巻取パイプ３に巻き取られたシート４に下側から当接している。これにより、ロールスクリーンＲ１の撓みが抑制される。支持ローラ１４は、保持部１７に沿って移動可能である。支持ローラ１４は、シート４を降下させたときに保持部１７の基端側に移動し、シート４を巻き取るときに保持部１７の先端側に移動する。支持ローラ１４は、巻取パイプ３から巻き戻されたシート４に最も接近したときに、巻き戻されたシート４に接触せず、巻き戻されたシート４から最も離れたときに、巻取パイプ３の中心軸垂下位置（図２の（ａ）及び（ｂ）の直線Ｓ参照）を支持ローラ１４の回転軸１８が超えない範囲で移動可能である。支持ローラ１４は、アーム部１２のトーションばね１３の作用により、巻取パイプ３に巻き取られたシート４に向かって付勢される。回転軸１８が巻取パイプ３の軸方向にずれることがないように、回転軸１８の両端部には、フランジ部１８ａが設けられている。
【００３７】
アーム部１２の保持部１７とピン３２の取り付け位置との間で、巻取パイプ３に巻き取られたシート４を下側から当接できる位置に第一補助ローラ１５が回転可能に取り付けられている。第一補助ローラ１５は、円筒状の部材である。第一補助ローラ１５によって、巻取パイプ３に巻き取られたシート４とアーム部１２との摩擦が軽減される。
【００３８】
また、巻き戻されたシート４を挟んで、ブラケットＢ１と反対側に、巻取パイプ３に巻き取られたシート４の脱落防止部材８が設置されている。
脱落防止部材８は、巻取パイプ３の脱落を防ぐための部材である。脱落防止部材８は、ブラケットＢ１と同幅の長方形状の板状の部材である。脱落防止部材８は、側面視で略逆Ｌ字形状に形成されている。アーム部１２の先端と脱落防止部材８の先端との最大間隔Ｌ１は、巻取パイプ３の直径Ｄ１よりも小さい。
【００３９】
本実施形態に係るブラケットＢ１は、基本的に以上のように構成されており、次に、ブラケットＢ１の動作について説明する。
【００４０】
図２（ａ）に示すように、チェーン７を操作してシート４を降下させると、巻取パイプ３に巻き取られているシート４が反時計回りに回転する。そうすると、シート４に下側から当接している支持ローラ１４は、シート４との摩擦によって相対回転する。また、支持ローラ１４には、シート４からの摩擦によって室内側に向かう力が作用する。この室内側に向かう力によって、回転軸１８が保持部１７の内部を滑り、支持ローラ１４が室内側に移動する。回転軸１８が保持部１７の室内側の端部に到達すると、支持ローラ１４は移動しなくなり、その場で回転し続ける。このとき、回転軸１８は、巻取パイプ３の中心軸垂下位置（直線Ｓ参照）を越えない。
【００４１】
一方、図２の（ｂ）に示すように、チェーン７を操作してシート４を上昇させると、巻取パイプ３に巻き取られているシート４が時計回りに回転する。そうすると、シート４に下側から当接している支持ローラ１４は、シート４との摩擦によって相対回転する。また、支持ローラ１４には、シート４からの摩擦によって室外側に向かう力が作用する。この室外側に向かう力によって、回転軸１８が保持部１７の内部を滑り、支持ローラ１４が室外側に移動する。回転軸１８が保持部１７の室外側の端部に到達すると、支持ローラ１４は移動しなくなり、その場で回転し続ける。このとき、支持ローラ１４は、巻取パイプ３から垂下しているシート４に接触していない。
【００４２】
また、シート４が巻き戻されると、巻取パイプ３に巻き取られたシート４の巻き厚が小さくなる。このとき、アーム部１２はトーションばね１３によってシート４に向かって付勢されているので、シート４の巻き厚の変化に追従してアーム部１２がシート４に向かって回動する。これによって、支持ローラ１４がシート４に当接し続ける。
巻取りの場合はこの逆の動作にとなり、やはり支持ローラ１４がシート４に当接し続ける。
【００４３】
本実施形態に係るブラケットＢ１によれば、ブラケットＢ１によるシート４の皺の発生を抑制できる。これは、本実施形態に係るブラケットＢ１によれば、相対回転可能な支持ローラ１４がシート４の巻取り、巻戻し方向に追随してシート４に対して周方向に移動するので、巻取り操作開始時及び巻戻し操作開始時の、支持ローラ１４による支持部分でのシート４の緊張を、支持ローラ１４の移動により緩和している、と想定されるからである。
【００４４】
本実施形態に係るブラケットＢ１によれば、支持ローラ１４が、巻取パイプ３から巻き出ているシート４に最も接近したときに、巻き出ているシート４に接触しないので、シート４巻取り時に、支持ローラ１４の接触によるシート４の皺の発生を防ぐことができる。また、巻き戻されたシート４から最も離れたときに、巻取パイプ３の中心軸垂下位置を支持ローラ１４の回転軸が超えないので、支持ローラ１４が円滑に移動し、シート４の皺の発生を抑制できる。
【００４５】
また、本実施形態に係るブラケットＢ１によれば、支持ローラ１４を備えるアーム部１２がシート４に向かってトーションばね１３によって回動され（付勢され）ているので、巻取パイプ３に巻き取られたシート４の巻き厚の変化に追従してアーム部１２に保持された支持ローラ１４がシート４に当接する。従って、ブラケットＢ１によるシート４の皺の発生を抑制できる。加えて、アーム部１２は、支持ローラ１４の回転軸１８を移動可能に保持する保持部１７を有する。保持部１７は、シート４の周方向に沿った円弧状に形成されているので、相対回転可能な支持ローラ１４がシート４の巻取り、巻戻し方向に追随してシート４に対して周方向に移動する。その結果、ブラケットＢ１によるシート４の皺の発生を抑制できる。
【００４６】
また、本実施形態に係るブラケットＢ１によれば、シート４に対して相対回転可能な支持ローラ１４と第一補助ローラ１５とを有するので、巻取パイプ３に巻き取られたシート４が支持ローラ１４と第一補助ローラ１５との２点で当接され、巻取パイプ３が安定して回転することができる。巻取パイプ３が安定して回転するので、巻きずれが起こるのを予防でき、シート４に皺が発生するのを抑制できる。
【００４７】
（第二実施形態）
図４の（ａ）及び（ｂ）に示すように、第２実施形態に係るロールスクリーンＲ２のブラケットＢ２は、付勢方法及び付勢方向、基部１１及びアーム部１２の形状、及び保持部１７の形状が前記したブラケットＢ１と異なっている。
以下、ブラケットＢ１とブラケットＢ２との相違点について説明する。
【００４８】
基部１１の突出部１１ｂは、アーム部１２を上下方向にスライド可能に保持している。具体的には、突出部１１ｂの上端側には、アーム基部可動空間部１１ｃが形成されている。アーム基部可動空間部１１ｃは、突出部１１ｂの上端部に開口している。アーム基部可動空間部１１ｃには、後記するアーム部１２の基部１２ｂが配置される。また、突出部１１ｂの下端側（アーム基部可動空間部１１ｃの下側）には、アーム直線部可動空間部１１ｄが形成されている。アーム直線部可動空間部１１ｄは、アーム基部可動空間部１１ｃの底面１１ｆから突出部１１ｂの下端面まで貫通している。アーム直線部可動空間部１１ｄの幅は、アーム基部可動空間部１１ｃの幅よりも狭くなっている。アーム直線部可動空間部１１ｄには、後記するアーム部１２の直線部１２ａが挿通される。
【００４９】
アーム基部可動空間部１１ｃの底面１１ｆとアーム部１２の基部１２ｂとの間には、弾性体１３，１３が設置されている。弾性体１３は、アーム部１２を上向きに付勢している。
【００５０】
アーム部１２は、側面視で略Ｊ字状に形成されている。アーム部１２は、上下方向に延設された直線部１２ａと、直線部１２ａの上端に設けられたアーム基部１２ｂと、直線部１２ａの下端から室外側に屈曲した先端部１２ｃと、を有する。直線部１２ａは、基部１１のアーム可動空間部１１ｄ内を上下方向にスライドする。アーム基部１２ｂは、直線部１２ａ及びアーム直線部可動空間部１１ｂよりも幅が広くなっている。
【００５１】
アーム部１２の先端部１２ｃには、保持部１７が形成されている。保持部１７は、アーム部１２に形成されたＩ字状（直線状）の溝である。保持部１７には、支持ローラ１４の回転軸１８が、移動可能に取り付けられている。
【００５２】
本実施形態に係るブラケットＢ２によれば、弾性体１３によってアーム部１２を上下方向にスライドさせることによって、シート４の巻き厚の変化に支持ローラを追従させることができる。このため、ブラケットＢ２によるシート４の皺の発生を抑制できる。
【００５３】
（第三実施形態）
図５の（ａ）及び（ｂ）に示すように、ロールスクリーンＲ３のブラケットＢ３は、トーションばね１３を有さない点、基部１１とアーム部１２が一体形成されている点、脱落防止部材８に第三補助ローラ支持部材２１を有する点、がブラケットＢ１と異なっている。
以下、ブラケットＢ１とブラケットＢ３との相違点について説明する。
【００５４】
ブラケットＢ３は、側面視でＪ字状に形成されており、基部１１とアーム部１２が一体化されている。つまり、アーム部１２は、基部１１に対して可動しない構成となっている。そのため、トーションばね１３等の付勢部材を備えていない。
なお、アーム部１２の先端には保持部１７が設けられており、支持ローラ１４は、保持部１７に沿って移動可能となっている。
【００５５】
支持ローラ１４は、巻取パイプ３にシート４が十分巻き取られている状態で、シート４に下側から当接している。そのため、支持ローラ１８は、シート４の巻き戻し始めと巻き取り終わりにだけ、シート４に当接して保持部１７に沿って移動する。この移動によって、シート４の皺の発生が抑制される。
【００５６】
なお、ブラケットＢ３は、トーションばね１３等の付勢部材を備えていないので、シート４が巻き戻されて、シート４の巻き厚が薄くなると、支持ローラ１４がシート４から離間する。すなわち、ブラケットＢ３の支持ローラ１４は、シート４の巻き厚の変化に追従しない。ブラケットＢ３は、シート４の巻き厚の変化に追従しないが、支持ローラ１４を移動させない場合に比較して、シート４の皺の発生を抑制することができる。
【００５７】
脱落防止部材８は、第三補助ローラ２２を回転可能に支持する第三補助ローラ支持部２１を備えている。第三補助ローラ支持部２１は、脱落防止部材８の巻取パイプ３側の上端部にブラケットＢ３と対向して配置されている。第三補助ローラ支持部２１は、断面台形状の部位であり、その下部には、保持部２３が、ロールスクリーンの周方向に沿った円弧状に形成されている。保持部２３には、第三補助ローラ２２の回転軸２４が移動可能に取り付けられている。
第三補助ローラ支持部２１は、脱落防止部材８の一部としているが、脱落防止部材８とは別の部材としてもよい。
【００５８】
以上、本発明を実施するための三つの形態について説明したが、本発明は前記実施形態に限定されるものではなく、本発明の趣旨を逸脱しない範囲で適宜変更が可能である。
【００５９】
例えば、図６の（ａ）及び（ｂ）に示すように、支持ローラ１４ａ及び第一補助ローラ１５ａに無端ベルト２６を巻き掛けて、無端ベルト２６がシート４に当接するようにしてもよい。この場合、第１補助ローラ１５ａも、支持ローラ１４ａと共に、シート４の周方向に移動可能に構成されている。具体的には、支持ローラ１４ａの回転軸１８ａの両端部は、第一補助ローラ１５ａの回転軸１９ａの両端部に間隔保持部材２５で連結されている。そして、回転軸１８ａ及び回転軸１９ａは、保持部１７にスライド可能に保持されている。なお、保持部１７は、第１実施形態よりも延長されている。
【００６０】
図６に示す変形例において、支持ローラ１４ａ及び第一補助ローラ１５ａが請求項８の「一対のローラ部材」に相当する。また、支持ローラ１４ａ及び第一補助ローラ１５ａ、無端ベルト２６、及び、間隔保持部材２５が、請求項８の「回転体」を構成している。
【００６１】
このような構造によれば、無端ベルト２６が支持ローラ１４ａと第一補助ローラ１５ａとに巻き掛けられているので、無端ベルト２６は、巻取パイプ３に巻き取られたシート４に点ではなく面で当接できる。つまり、無端ベルト２６がシート４に当接する範囲が大きくなるので、巻取り操作開始時及び巻戻し操作開始時の、支持ローラ１４ａによる支持部分におけるシート４の緊張を、緩和しやすくなる。また、シート４の回転に伴って、無端ベルト２６が、シート４の周方向に沿って移動するので、シート４の皺の発生を抑制する効果が大きくなる。
【００６２】
また、図７の（ａ）及び（ｂ）に示すように、支持ローラ１４ｂの回転軸１８ｂをコイルばね２８で直接付勢してもよい。具体的には、回転軸１８ｂの両端部は、四角筒状の軸受部材２７に回転自在に支持されている。また、軸受部材２７は、滑り支承２９に上下方向にスライド可能に保持されている。軸受部材２７の下面と滑り支承２９の底面の間にはコイルばね２８が設置されている。コイルばね２８は、回転軸１８ｂ（ひいては支持ローラ１４ｂ）をシート４に向かって付勢している。滑り支承２９は、アーム部１２の保持部１７ｂに保持されている。滑り支承２９は、保持部１７ｂの長手方向に沿って移動可能である。
【００６３】
このような構造によれば、支持ローラ１４ｂは、シート４に向かって付勢されつつ、シート４に対して周方向に移動可能となっている。このように、支持ローラ１４ｂを直接付勢する構成でも、ブラケットによるシート４の皺の発生を抑制できる。
【００６４】
本実施形態に係るロールスクリーンＲ１，Ｒ２，Ｒ３のブラケットＢ１，Ｂ２，Ｂ３は、支持ローラ１４を巻取パイプ３に巻き取られたシート４に下側から当接するように配置したが、下側以外から当接してもよい。
【００６５】
本実施形態に係るロールスクリーンＲ１，Ｒ２，Ｒ３のブラケットＢ１，Ｂ２，Ｂ３を、第一ブラケット１と第二ブラケット２との中央の位置に配置したが、中央から左右にずれていてもよい。
【００６６】
本実施形態に係るロールスクリーンＲ１，Ｒ２，Ｒ３は、室内と室外の間に設けられた窓に使用する場合を例示したが、室内の間仕切りの開口部分に設けてもよい。
【００６７】
また、本実施形態に係るロールスクリーンＲ１，Ｒ２，Ｒ３の取付面は、天井であってもよいし、壁やカーテンレール下面であってもよい。
【００６８】
また、本実施形態に係るロールスクリーンＲ１，Ｒ２，Ｒ３では、保持部１７の形状を円弧状や直線状としたが、支持ローラ１４の回転軸１８がシート４の周方向に沿って移動可能であれば、保持部１７の形状は問わない。保持部１７の形状を円弧状とした場合、シート４の巻き厚の変化に追従して、支持ローラ１４の回転軸１８が円滑に移動する。
【００６９】
また、本実施形態に係るロールスクリーンＲ１，Ｒ２，Ｒ３では、チェーン式のロールスクリーンを例示したが、プルコード式や電動式であってもよい。
【００７０】
また、本実施形態に係るロールスクリーンＲ１，Ｒ２，Ｒ３では、手前側に巻き取られたシートが見えるが、巻き取られたシートが手前に見えない逆巻仕様であってもよい。
【符号の説明】
【００７１】
Ｒ１、Ｒ２、Ｒ３    ロールスクリーン
Ｂ１、Ｂ２，Ｂ３    ブラケット
１      第一ブラケット
１ａ    第一基部
１ｂ    第一側端部
２      第二ブラケット
２ａ    第二基部
２ｂ    第二側端部
３      巻取パイプ
４      シート
５      ウエイトバー
５ａ    ボトムキャップ
６      プーリーカバー
７      チェーン
８      脱落防止部材
９      付勢機構
１１    基部
１２    アーム部
１３    トーションばね（付勢手段）
１４    支持ローラ（回転体）
１５    第一補助ローラ（下側補助ローラ）
１６    第二補助ローラ（上側補助ローラ）
１７    保持部
１８，１９，２０    回転軸
２１    第三補助ローラ支持部材
２２    第三補助ローラ
２３    保持部
２４    回転軸
２５    間隔保持部材
２６    無端ベルト
２７    軸受部材
２８    コイルばね
２９    滑り支承
３０    可動式付勢機構
【図１】
0006595249.tif 000002
【図２】
0006595249.tif 000003
【図３】
0006595249.tif 000004
【図４】
0006595249.tif 000005
【図５】
0006595249.tif 000006
【図６】
0006595249.tif 000007
【図７】
0006595249.tif 000008